(57)【特許請求の範囲】
【請求項１】
回転刃（１０，１０２）をシートの保護情報（３）が表示された部位に押し付けながら走行させることで、該保護情報（３）を前記シート（２）から分離させるための情報漏洩防止処理用カッターであって、前記回転刃（１０，１０２）は、回転軸（１１、１１６）の軸線方向に複数の円板状の薄刃（１２、１２０）を取り付けて構成されたことを特徴とする情報漏洩防止処理用カッター。
【請求項２】
前記回転刃（１０）を回転自在に支持する回転刃ホルダ（２０）は、上方に付勢された状態でハウジング（３０）に支持されており、該ハウジング（３０）の上端に設けられた操作部（４０）を押し下げることによって、前記回転刃（１０）の刃先が露出するように構成されたことを特徴とする請求項１に記載の情報漏洩防止処理用カッター。
【請求項３】
前記ハウジング（３０）の下端部に紙押え板（３４）を取り付け、該紙押え板（３４）に、前記回転刃（１０）の刃先の位置を示すライン表示（３６）を設けたことを特徴とする請求項２に記載の情報漏洩防止処理用カッター。
【請求項４】
前記薄刃（１２，１２０）間の幅を可変にすることができるように構成されたことを特徴とする請求項１又は請求項２に記載の情報漏洩防止処理用カッター。
【発明の詳細な説明】
【技術分野】
【０００１】
本発明は、シートに表示された情報の中から、漏洩を防止すべき情報を選択し、その部位のみを切り取る情報漏洩防止処理用カッターに関する。
【背景技術】
【０００２】
紙などのシート材に表示された情報を、読み取り不可能な状態にするための器具として、ハンドルの下端にアームを設け、そのアームに回転可能に取り付けられたローラに、鋸状の刃を設けたカッターが提案されている（特許文献１）。
このカッターは、破棄したい情報が記載されているシート部位に、鋸状の刃先を押しつけ、前後に走行させることで、鋸状の刃によってシートに穴を開け、その部位に表示された情報を読み取り不可能にするものである。【０００３】
また、情報の表示された部位を穿孔することで、その部位に表示された情報を、読み取り不可能にする情報流出防止用パンチも提案されている（特許文献２）。
破砕等の物理的処理を行わない方法として、情報の表示された部位に印面体を走らせ、その上に重ねて印字することで、情報の内容を判読不能にする回転式スタンプも提案されている（特許文献３）。
【先行技術文献】
【特許文献】
【０００４】
【特許文献１】特開２００８−１３２５８１号公報
【特許文献２】特開２００４−２５３６１号公報
【特許文献３】特開２０１０−１７８８１号公報
【発明の概要】
【発明が解決しようとする課題】
【０００５】
しかしながら、特許文献１のカッターは、鋸刃で切込みを設け、その切込みを開くようにして穴を設けるので、開かれた穴を切り落とすことはできず、穴を逆方向から閉じれば、再び情報を読み取ることができる。
特許文献２のパンチは、シートの隅に表示された情報を破砕することはできるが、大面積のシートの中央に表示された情報を穿孔したり、漏洩を防止すべき情報が広範囲に存在する場合には不都合である。
特許文献３の器具は、情報を視認しにくくするに止まり、インクの材質によっては、用紙の裏から読み取とることや、化学的処理により再現できる場合がある。【０００６】
そこで、本発明は、漏洩を防止すべき情報が、シートの如何なる位置に表示されていても、その情報のみを選択してシートから切り離すことができる情報漏洩防止処理用カッターの提供を目的とする。
【課題を解決するための手段】
【０００７】
上記課題を解決するために、本発明に係る情報漏洩防止処理用カッターは、回転刃をシートの保護情報が表示された部位に押し付けながら走行させることで、該保護情報を前記シートから分離させるための情報漏洩防止処理用カッターであって、前記回転刃は、回転軸の軸線方向に複数の円板状の薄刃を取り付けて構成されたことを特徴とするものである。
この場合、前記回転刃を回転自在に支持する回転刃ホルダは、上方に付勢された状態でハウジングに支持されており、該ハウジングの上端に設けられた操作部を押し下げることによって、前記回転刃の刃先が露出するように構成されていてもよい。
そして、前記ハウジングの下端部に紙押え板を取り付け、該紙押え板に、前記回転刃の刃先の位置を示すライン表示を設けてもよい。
または、前記薄刃間の幅を可変にすることができるように構成されていてもよい。
【発明の効果】
【０００８】
請求項１に係る情報漏洩防止処理用カッターによれば、シートに表示された情報のうち、漏洩を防止すべき情報が表示された位置にのみ回転刃を走らせることができるので、切り取られた残りの紙面を、情報資源又は紙資源として有効に利用することができる。
郵便物の宛先として記載された住所・氏名にあっては、氏名のみを切り取った状態で廃棄すれば個人情報は保護されるので、必要最小限の処理で効果的に情報漏洩を防止できる。
【０００９】
また、セロファンの封筒に宛名がラベル貼付された郵便物など、環境保護の観点からシュレッダーによる破砕が不可能なものを、通常のゴミとして安全に廃棄することが可能となる。
請求項２の情報漏洩防止処理用カッターは、ハウジングの上端に設けられた操作部を押し下げることによって、回転刃の刃先が露出されるようにしたので、安全性及び操作性が高い。
請求項３の情報漏洩防止処理用カッターは、ハウジングの下端部に透明部材からなる紙押え板を取り付け、その紙押え板に刃先の位置を示す表示を設けたので、漏洩を防止しようとする情報の位置に、その表示をあわせることで、漏洩すべき情報を確実にシートから分離することができる。 
請求項４の情報漏洩防止処理用カッターは、薄刃間の幅を可変にしたので、文字のサイズに合わせた幅にシートを切り取ることができる。
【図面の簡単な説明】
【００１０】
【図１】本発明の第１実施形態に係る情報漏洩防止処理用カッターの斜視図である。
【図２】上記情報漏洩防止処理用カッターの分解図である。
【図３】上記情報漏洩防止処理用カッターの使用状態を示し、（ａ）は操作部を押し下げた状態の回転刃を示す部分断面図であり、（ｂ）は回転刃によって切り込まれたシートの状態を示す平面図である。
【図４】上記情報漏洩防止処理用カッターの中央を縦方向に切り取った断面図である。
【図５】上記情報漏洩防止処理用カッターを下から見た状態を示す底面図である。
【図６】上記回転刃の第１変形例を示し、（ａ）は操作部を押し下げた状態の回転刃を示す要部断面図であり、（ｂ）はこの回転刃によって切り込まれたシートの状態を示す平面図である。
【図７】上記回転刃の第２変形例を示し、（ａ）は操作部を押し下げた状態の回転刃を示す要部断面図であり、（ｂ）はこの回転刃によって切り込まれたシートの状態を示す平面図である。
【図８】本発明の第２実施形態に係る情報漏洩防止処理用カッターを示す斜視図である。
【図９】上記情報漏洩防止処理用カッターの分解図である。
【図１０】上記情報漏洩防止処理用カッターの内部構造を示す要部断面図である。
【発明を実施するための形態】
【００１１】
本発明の好適な実施形態について、添付図面に基づいて説明する。なお、実施形態は以下の形態に限定されるものではなく、本発明の課題を解決しうるものであれば他の態様も実施可能である。
【実施例１】
【００１２】
図１は、本発明の第１実施形態に係る情報漏洩防止処理用カッター１を示す斜視図である。
この情報漏洩防止処理用カッター１は、紙などのシート２に表示された情報のうち、漏洩を防止しようとする保護情報３のみを切り取り、再現不可能にするためのもので、図２に示すように、回転刃１０を回転自在に軸支する回転刃ホルダ２０と、回転刃ホルダ２０を上下動可能に支持するハウジング３０と、その上端に設けられた操作部４０と、によって構成される。【００１３】
回転刃１０は、シート中の保護情報３が表示された部位に、その周面を押し付けながら走行させることで、その保護情報３のみを滅失させるためのもので、パイプ状の軸部材１１に２枚の円板状の薄刃１２ａ，１２ｂを取り付けて構成される。
これらの薄刃１２は、凹凸状のラインに裁断可能な刃先を有するもので、その凸部を近接させることで、図３に示すように、線対称な波形形状の切込帯４が形成されるように、回転刃１０を設計している。【００１４】
即ち、第１の薄刃１２ａに設けられた取付孔１３に、固定部材１４に設けられた突起部１５を挿通させ、円盤状のスペーサ１６を介して、第２の薄刃１２ｂも同様に取り付け、他端側の固定部材のネジ孔１７においてネジ止めされることで、回転刃１０として一体化されたものを構成している。この際、薄刃１２間のスペーサ１６の厚みを調節することで、保護情報３のサイズに即した幅の切込帯４が形成されるように構成する。
このように設計することで、周面に設けられた２条の刃先でシート２を切り込み、帯状の切込帯４を形成することが可能な回転刃１０を製造することができる。この回転刃１０のパイプ孔１８に、回転刃ホルダ２０の取付軸２１を挿通させることで、回転刃ホルダ２０に対して回転可能に取り付けられる（図４を参照）。【００１５】
回転刃１０を取り付けるための取付軸２１は、固定部材２２，２３を介して、回転刃ホルダ２０の壁面に設けられた軸孔２４において固定される。
回転刃ホルダ２０は、回転刃１０を保持した状態で、バネ２６を介してハウジング３０に対して上下動可能に支持されている（図４を参照）。
即ち、ハウジング３０の両壁面には、夫々対応する位置に開口部３１、３１が設けられており、その開口部３１，３１に横桟部材３２を架設させている。この横桟部材３２は、壁面に設けられた取付部３３において、ハウジング３０に固定される。【００１６】
回転刃ホルダ２０の壁面にも、ハウジング３０の開口部３１，３１と対応する位置に、開口部２７，２７が設けられており、横桟部材３２は、その開口部２７，２７に挿通されることで、回転刃ホルダ２０の内部を貫通するように配設される（図４を参照）。
この横桟部材３２と、回転刃ホルダ２０の天井部２８との間に、バネ２６を配設することによって、回転刃ホルダ２０が、ハウジング３０に対して上方に向けて付勢された状態で組み付けられる。【００１７】
そして、その回転刃ホルダ２０の上に、ハウジング３０を覆うように、キャップ状の操作部４０が設けられている。
回転刃ホルダ２０とハウジング３０との間のバネ２６の配設状態は、操作部４０を押し下げた際に、ハウジング３０の下端部から、回転刃１０の刃先が突出し、その刃先でシート２の所定部位を切り込むことができるように設計されている。【００１８】
ハウジング２０の下端部には、透明な紙押え板３４が設けられている。
紙押え板３４の中央には、図５に示すように、開口部３５が設けられており、操作部４０を押し下げた際に、その開口部３５を介して、回転刃１０の刃先が突出するようになっている。
そして、その開口部３５の両側の、薄刃１２ａ，１２ｂの刃先の延長線上には、切断ラインを示すライン表示３６が設けられており、紙押え板３４を透して保護情報３の部位に、このライン表示３６をあわせることで、的確な部位を切り取ることができるようにしている。【００１９】
紙押え板３５の両側は傾斜状に立ち上げらており、シート２の上をスムーズに移動させるためのガイド部３７としている。
操作部４０は、ハウジング３０の上方に、ハウジング３０に対して上下動可能に設けられる。この操作部４０は、キャップ形状の内側において、回転刃ホルダ２０の天井部２８に固定される。【００２０】
上記構成の情報漏洩防止処理用カッター１を使用して、保護情報３をシート２から滅失させる方法を、図１を参照して説明する。
先ず、シート２の中で、保護情報３が記載された部位に、この情報漏洩防止処理用カッター１を載置する。この際、透明な紙押え板３４を介し、保護情報３が表示されている位置を確認しながら配置する。
そして、操作部４０を押し下げる。これによって、回転刃ホルダ２０がハウジング３０に対して押し下げられて、その開口部３５から２条の刃先が突出する。【００２１】
この状態で保護情報３に沿って移動させることで、図３（ｂ）に示すような波型形状の切込帯４が形成される。そして、切込帯４の両端をシート２から切り離すことで、保護情報３がシート２から分離される。このときの切込帯４はシート２に連なった状態なので、切込屑として散乱することなく、切り離したその手で屑箱に捨てることができる。
住所と氏名などのように、複数の情報の組み合わせで価値が生ずるような情報資源の場合、その一方（例えば氏名のみ）を分離すれば、シート２としての情報価値は滅失するので、必要最小限の切り取りで済み、切り取られた残りのシート２を、情報資源又は紙資源として有効に利用することが可能となる。【００２２】
特に、透明なセロファンからなる封筒に宛名がラベル貼付された郵便物など、環境保護の観点からシュレッダーによる破砕が不可能なものを、通常のゴミとして安全に廃棄することが可能となる。
また、凹凸状のラインに裁断可能な刃先を有する薄刃を回転軸に複数取り付けて回転刃を構成したので、凹凸状の切込帯を形成することができる。紙面から滅失させようとする情報の上を、文字列に沿って刃先を走らせることで、読み取り難い状態にすることができる。【００２３】
また、２枚の薄刃１２ａ，１２ｂを組み合わせて回転刃１０を形成したので、その間に入れるスペーサ１６の幅を調節することで、薄刃間の幅を可変にすることができる。これによって、文字のサイズに合わせた幅にシートを切り取ることが可能となる。なお、回転刃ごと、或いは回転刃ボルダごと交換することによって、切込帯の幅を調節できるようにしてもよい。
さらに、操作部４０を押し下げることによって、回転刃１０の刃先がハウジング３０から露出されるようにしたので、不使用時における安全性が担保される。また、シート上の所望の部位に載置し、手のひらで操作部４０を押し下げながら移動させることで、漏洩を防止すべき情報を切り取ることができるので、操作性が高く、使用時に刃先に手が触れる危険性も低い。【００２４】
特に、ハウジングの下端部に、回転刃の刃先の位置が表示された透明板を取り付けたので、漏洩を防止しようとする情報の位置に、その表示をあわせることで、漏洩すべき情報を確実にシートから分離することができる。
なお、本発明は、回転刃１０の周面をシート２の保護情報３が表示された部位に押し付けながら走行させることで、その保護情報３を切り取るカッターであれば、いかなる構造ものであってもよく、例えば、図６に示すように、回転刃１０’を構成する薄刃１２’を、直線裁断用の丸刃にすることも可能である。
このようにすれば、図６（ｂ）に示すように、直線状の切込帯４’とすることができるので、紙面に残された情報のみならず、紙面から分離された情報をも、新たな情報として有効に利用することが可能となる。【００２５】
また、図７に示すように、薄刃１２”の凸部同士を密着させて重ね合わせ、網目状の裁断ラインが形成されるような回転刃１０”を構成してもよい。
このようにすれば、切込帯４”の両端を手でひきちぎることなく、シート２から分離させることができる。刃先の傾斜具合で完全な網目状とならない場合であっても、波状の切込帯４”の狭小部の幅を限りなく小さくすることができるので、シート２から分離させる際に、手で簡単に引きちぎることができる。
不定形の細かな細断片として復元不可能な状態に破砕したい場合は、保護情報３の上を往復移動させることで、切込帯４”の切り落としが可能となる。【００２６】
本実施形態によれば、回転刃の周面に設けられる複数条の刃先を、回転軸の軸線方向に沿って円板状の薄刃を複数取り付けることによって構成したので、直線状の刃先線を有する薄刃、波線状の刃先線を有する薄刃など、薄刃の刃先形状を適宜設計又は変更することによって、所望の形状の切込帯とすることができる。
例えば、郵便物の氏名の部分のみに、この情報漏洩防止処理用カッターを走らせた場合、郵便物の住所と氏名とが分離され、個人情報を効果的に保護することができるが、この分離された切込片（氏名の部分）を保管したり、ファイルしたりすることによって、受領した郵便物の分類や個数管理などのための情報として、再利用することができる。【００２７】
本発明の回転刃は、周面をシートの保護情報が表示された部位に押し付けながら走行させることで、その部位をシートから分離させることができるものであれば、例えば、円筒状の回転刃の周面に、網目状（即ち、升目状、ハニカム状など）のラインに裁断可能な刃先部を設けたものであってもよい。
このようにすれば、漏洩を防止すべき保護情報を網目状に切り込むことができるので、細かい細断屑として復元不可能な状態にすることができる。【００２８】
回転刃ホルダ、ハウジング及び操作部の組み付け状態も、適宜変更することができる。例えば、回転刃ホルダを、ハウジングの底部との間に介装されたバネによって上方に付勢することで、不使用時に刃先がハウジングから突出されないようにしてもよい。そして、ハウジングの天面に開口部を設け、押しボタン状の操作部を配設してもよい。
本実施形態では、操作部を手中に納まり易い形状にすることで、操作性を向上させたが、如何なる形状であってもよく、例えばハンドル状であってもよい。
【実施例２】
【００２９】
次に、本発明の第２実施形態に係る情報漏洩防止処理用カッター１０１の構成を、図８を参照して説明する。
この情報漏洩防止処理用カッター１０１は、回転刃１０２と、回転刃１０２を回転自在に軸支するアーム部１０３と、アーム部１０３を保持するハンドル部１０４と、からなる。【００３０】
ハンドル部１０４は、図９に示すように、フロントハンドル１０４ａと、バックハンドル１０４ｂとでアーム部１０３を挟持するよう構成されており、フロントハンドル１０４ａに形成されたねじ挿通孔１０７に、ねじ１０８を挿入して、バックハンドル１０４ｂに形成されたねじ孔１０９に螺合して締付けすることで、フロントハンドル１０４ａとバックハンドル１０４ｂとが締結される構造になっている。【００３１】
また、フロントハンドル１０４ａには、プッシュボタン１０３ａを挿通するプッシュボタン挿通孔１１０が形成されており、フロントハンドル１０４ａの裏側には、プッシュボタン挿通孔１１０の回りに、アーム部１０３の歯部１０３ｂに整合される溝部１１１が形成されている。
バックハンドル１０４ｂの裏側には、ガード駆動部材１０５のリング部１０５ｂを嵌合させると共に圧縮コイルばね１１５を収納するための環状溝１１２が形成されている。なお、図９に示す符号１１３は、ハンドル部１０４の表面に凸状に形成されたスベリを防止するための小突起で、符号１１４は、アーム部１０３を位置決めする際の目安となる角度目盛である。【００３２】
アーム部１０３は、略長丸形状のプレート部材によって構成されており、円柱状のプッシュボタン１０３ａの回りに歯部１０３ｂを環状に配置した構造となっている。歯部１０３ｂはプッシュボタン１０３ａの回りに４５°の角度で等配して設けられている。そして、それぞれの歯部１０３ｂをフロントハンドル１０４ａの裏側の溝部１１１に噛合させることで、ハンドル部１０４に対して４５°毎に位置決めされるよう構成している。
このアーム部１０３は、バックハンドル１０４ｂとガード駆動部材１０５との間に収納された圧縮コイルばね１１５により、ガード部１０６とガード駆動部材１０５を介してフロントハンドル１０４ａに向けて付勢されており、プッシュボタン１０３ａを押して圧縮コイルばね１１５を圧縮させることで歯部１０３ｂが溝部１１１から外れてアーム部１０３が回動し、プッシュボタン１０３ａを離すことにより歯部１０３ｂが溝部１１１に噛合って位置決めされる。【００３３】
プッシュボタン１０３ａの裏側には、ガード駆動部材１０５に形成された支持軸１０５ｃを嵌合させる軸孔１０３ｃが形成されており、アーム部１０３は、バックハンドル１０４ｂの環状溝１１２にガード駆動部材１０５のリング部１０５ｂを回転自在に嵌合して、該ガード駆動部材１０５の支持軸１０５ｃに軸孔１０３ｃを嵌合することで、支持軸１０５ｃに回動自在に軸支される。【００３４】
この情報漏洩防止処理用カッター１０１には、ガード部１０６が設けられており、ガード部１０６が退避された状態（即ち、回転刃１０２の刃先がガードされていない状態）では、プッシュボタン１０３ａをロックしてアーム部１０３の回動動作を規制する構造になっている。
ガード部１０６は、略長丸状のプレートの上面に、アーム部１０３の側面１０３ｅに案内させるようにして対向する一対のガイド部１０６ａが形成されると共に、該長丸状のプレートに、ガード駆動部材１０５のダイヤル１０５ａ上面に形成された突起状の係合部１０５ｄに係合するようにして係合孔１０６ｂが形成されている。このダイヤル１０５ａを回転することで、係合部１０５ｄと係合孔１０６ｂの斜面１０６ｃとの接触部に力が作用され、ガイド部１０６ａがアーム部１０３の側面１０３ｅに案内されてスライド移動する。【００３５】
ガード部１０６には、ガード駆動部材１０５に形成された支持軸１０５ｃを挿通させるための長孔１０６ｄと、回転刃１０２を軸支するシャフト１１６を貫通させるための長孔１０６ｅとが設けられ、さらに、下面には、回転刃１０２の刃先のハンドル部１０４側の部分をガードするブロック１０６ｆが形成されている。
バックハンドル１０４ｂの環状溝１１２の内側面とガード駆動部１０５のリング部１０５ｂとの間に圧縮コイルばね１１５を内挿してガード駆動部材１０５を嵌合し、ガード部１０６に形成された長孔１０６ｄにガード駆動部材１０５の支持軸１０５ｃを挿通させると共にガード駆動部材１０５の係合部１０５ｄをガード部１０６に形成された係合孔１０６ｂに係合させる。【００３６】
ガード駆動部材１０５の支持軸１０５ｃには、アーム部１０３の軸孔１０３ｃを挿入させ、ガード部１０６に形成された一対のガイド部１０６ａがアーム部１０３の側面１０３ｅに案内されるようにする。そして、アーム部１０３に形成されたプッシュボタン１０３ａにフロントハンドル１０４ａのプッシュボタン挿通孔１１０を挿通させると共にフロントハンドル１０４ａの溝部１１１にアーム部１０３のプッシュボタン１０３ａの回りに配設された歯部１０３ｂを噛合させて、フロントハンドル１０４ａとバックハンドル１０４ｂとを締結させることにより形成される。【００３７】
プッシュボタン１０３ａが押されていない状態では、ガード駆動部材１０５とバックハンドル１０４ｂとの間に、圧縮コイルばね１１５の圧縮方向に所定の間隔を有しており、プッシュボタン１０３ａを押すことで、アーム部１０３、ガード部１０６およびガード駆動部材１０５がストロークされ、アーム部１０３の歯部１０３ｂとフロントハンドル１０４ａの溝部１１１との噛合が外れる。これによって、アーム部１０３がハンドル部１０４に対して回動される構造になっている。【００３８】
次に回転刃１０２の構造について説明する。
本実施形態に係る情報漏洩防止処理用カッター１０１の回転刃１０２は、図１０に示すように、凹凸状の刃先線を有する薄刃１２０を複数重ねあわせることで、ローラー状の回転刃１０２としている。これによって、回転刃１０２の周面には、網目状のラインに裁断できるような刃先１２１が形成される。
この回転刃１０２を構成する夫々の薄刃１２０は、軸孔１０２ａにシャフト１１６の嵌合部１１６ａを嵌合させながら順次重ね合わせていくことで、所定の厚みを持ったローラー状の回転刃１０２を構成している。このローラー状の回転刃１０２の周面は、隣接する薄刃１２０，１２０の凸部どうしが重なることで、網目状の刃先となって表れる。このようにして構成された回転刃１０２をシャフト１１６に挿通し、ガード部１０６の長孔１０６ｅに挿通させることで、アーム部１０３に回転可能に取り付けられている。【００３９】
上記構成の情報漏洩防止処理用カッター１０１の使用状態を説明する。
まず、情報漏洩防止処理用カッター１０１のアーム部１０３の位置決めをする。この際、プッシュボタン１０３ａを押圧すると、アーム部１０３の歯部１０３ｂとフロントハンドル１０４ａの溝部１１１との噛合が解放され、アーム部１０３を回動させることができる。アーム部１０３を所望の角度に位置決めさせてプッシュボタン１０３ａから指を離すことで、アーム部１０３の角度が保持される。その後、ダイヤル１０５ａを回転させると、ガード部１０６が退避し、回転刃１０２の刃先１２１が突出される。【００４０】
このようにして、ハンドル角度を使い易い状態にした後、回転刃１０２の周面を、保護情報が記載されているシート部位に押し付け、必要量だけ走行させる。
回転刃１０２の周面の刃先１２１によって、網目状の閉じた切断線を形成することができ、細かな細断片１２２となって切り落とされる。切り取られた情報は、復元不可能となる。
本実施形態に係る情報漏洩防止処理用カッターにあっても、保護情報の部位のみを選択して破砕することができるので、その他の部位を有用な情報資源又は紙資源として再利用することが可能となる。
【産業上の利用可能性】
【００４１】
本発明は、シートに表示された情報を滅失させるための情報漏洩防止処理用のカッターとして、あらゆる産業分野で使用されるカッターに適用することができる。  
【符号の説明】
【００４２】
１…情報漏洩防止処理用カッター
２…シート
３…保護情報
４…切込帯
１０…回転刃
１１…軸部材
１２…薄刃
１３…取付孔
１４…固定部材
１５…突起部
１６…スペーサ
１７…ネジ孔
１８…パイプ孔
２０…回転刃ホルダ
２１…取付軸
２２，２３…固定部材
２４…軸孔
２６…バネ
２７…開口部
２８…天井部
３０…ハウジング
３１…開口部
３２…横桟部材
３３…取付部
３４…紙押え板
３５…開口部
３６…ライン表示
３７…ガイド部
４０…操作部
１０１…情報漏洩防止処理用カッター
１０２…回転刃
１０３…アーム部
１０４…ハンドル部
１２０…薄刃
１２１…刃先
１２２…細断片
【図１】
0005913315.tif 000002
【図２】
0005913315.tif 000003
【図３】
0005913315.tif 000004
【図４】
0005913315.tif 000005
【図５】
0005913315.tif 000006
【図６】
0005913315.tif 000007
【図７】
0005913315.tif 000008
【図８】
0005913315.tif 000009
【図９】
0005913315.tif 000010
【図１０】
0005913315.tif 000011